(57)【要約】  熱延鋼板製造ラインにおいて、排水性に優れた熱延鋼板の製造装置を提供する。  熱間仕上げ圧延機列と、鋼板を冷却可能に設けられた冷却装置と、を備える熱延鋼板の製造装置であって、冷却装置は、上方から冷却水を噴射可能な上面側のノズルと、下方から冷却水を噴射可能な下面側のノズルと、パスライン及び上面側のノズルの間の上面ガイドと、パスライン及び下面側のノズルの間の下面ガイドと、上面側のノズルから噴射された冷却水を強制的に吸引して排出可能な強制排水手段と、を有し、強制排水手段は、冷却水が流入する側の開口、及び冷却水が流出する側の開口を備える導水路と、導水路内に流入した冷却水を強制的に排出する吸引装置と、を備える。
2012043210.tif 000002
【特許請求の範囲】
【請求項１】
熱間仕上げ圧延機列と、該熱間仕上げ圧延機列の下工程側に配置され、パスラインを搬送される鋼板を冷却可能に設けられた冷却装置と、を備える熱延鋼板の製造装置であって、
前記冷却装置は、前記パスラインの上方から該パスラインに冷却水を噴射可能な上面側のノズルと、前記パスラインの下方から該パスラインに冷却水を噴射可能な下面側のノズルと、前記パスライン及び前記上面側のノズルの間に配置される板状の部材である上面ガイドと、前記パスライン及び前記下面側のノズルの間に配置される板状の部材である下面ガイドと、前記上面側のノズルから噴射された冷却水の少なくとも一部を強制的に吸引して排出可能な強制排水手段と、を有し、
前記強制排水手段は、前記冷却水が流入する側の開口、及び前記冷却水が流出する側の開口を備える導水路と、前記冷却水が流出する側の開口に設けられ、前記導水路内に流入した前記冷却水を強制的に排出する吸引装置と、を備える熱延鋼板の製造装置。
【請求項２】
前記導水路のうち、前記冷却水が流入する側の開口が前記パスライン方向に複数設けられる、又は前記導水路内で流路が前記パスライン方向に分割される、分割導水路が形成されており、前記複数の分割導水路のうち、いずれの分割導水路に冷却水を流入させるかを選択可能とされていることを特徴とする請求項１に記載の熱延鋼板の製造装置。
【請求項３】
前記熱間仕上げ圧延機列の最終スタンドのハウジングは立設する一対の立設部を有しており、
前記冷却装置は、その一部が前記熱間仕上げ圧延機列の最終スタンドの立設部間に配置され、前記強制排水手段の前記冷却水が流入する側の開口の少なくとも一部も前記立設部間に配置されることを特徴とする請求項１又は２に記載の熱延鋼板の製造装置。
【請求項４】
均一冷却幅をＷ［ｍ］、該均一冷却幅の端部と前記立設部との平均的な間隙距離をＷＳＷ［ｍ］、重力加速度をｇ［ｍ／ｓ２］とし、前記均一冷却幅における平均的な水量密度をＱｑ［ｍ３／（ｍ２・ｓ）］とし、前記ＷＳＷ、及び前記上面ガイドと前記鋼板の上面との平均的な距離であるｈ［ｍ］から決まる値をＣとし、
2012043210.tif 000010
としたとき、
2012043210.tif 000011
である請求項３に記載の熱延鋼板の製造装置。
【請求項５】
前記強制排水手段の前記導水路のうち、前記冷却水が流入する側の開口が、前記下面ガイドの板幅方向端部と、前記熱間仕上げ圧延機列の最終スタンドのハウジングの前記立設部と、の間に設けられ、前記開口は、前記下面ガイドの上面と同じ高さ、又は前記下面ガイドの上面より下の位置に配置されることを特徴とする請求項３又は４に記載の熱延鋼板の製造装置。
【請求項６】
前記強制排水手段の前記導水路のうち、前記冷却水が流入する側の開口は、その少なくとも一部が前記熱間仕上げ圧延機列の最終スタンドのハウジングの前記立設部間に配置されるとともに、前記上面ガイドの下面と同じ高さ、又は前記上面ガイドの下面より高い位置に配置されていることを特徴とする請求項３又は４に記載の熱延鋼板の製造装置。
【請求項７】
前記導水路の前記冷却水が流入する開口は、前記上面ガイドの板幅方向端部と、前記熱間仕上げ圧延機の前記ハウジングの前記立設部と、の間に設けられ、その開口は、前記上面ガイドの下面と同じ高さ、又は前記上面ガイドの下面より上の位置に配置されることを特徴とする請求項６に記載の熱延鋼板の製造装置。
【請求項８】
前記導水路は気液を分離する部位を備えていることを特徴とする請求項１〜７のいずれか一項に記載の熱延鋼板の製造装置。
【請求項９】
前記強制排水手段の前記吸引装置は、気液混相流を吸引可能であることを特徴とする請求項１〜７のいずれか一項に記載の熱延鋼板の製造装置。
【請求項１０】
前記強制排水手段の前記吸引装置は、空気のみでの待機運転が可能であることを特徴とする請求項１〜９のいずれか一項に記載の熱延鋼板の製造装置。
【請求項１１】
前記強制排水手段の前記吸引装置は、水を循環させるバイパスを具備し、当該水の循環による待機運転が可能であることを特徴とする請求項１〜９のいずれか一項に記載の熱延鋼板の製造装置。
【請求項１２】
熱間仕上げ圧延機列と、該熱間仕上げ圧延機列の下工程側に配置され、パスラインを搬送される鋼板を冷却可能に設けられた冷却装置と、を備える熱延鋼板の製造装置であって、
前記冷却装置は、前記パスラインの上方から該パスラインに冷却水を噴射可能な上面側のノズルと、前記パスラインの下方から該パスラインに冷却水を噴射可能な下面側のノズルと、前記パスライン及び前記上面側のノズルの間に配置される板状の部材である上面ガイドと、前記パスライン及び前記下面側のノズルの間に配置される板状の部材である下面ガイドと、前記上面側のノズルから噴射された冷却水の少なくとも一部を強制的に吸引して排出可能な強制排水手段と、を有し、
前記強制排水手段は前記上面ガイドの上面に具備された水中ポンプであることを特徴とする熱延鋼板の製造装置。
【発明の詳細な説明】
【技術分野】
【０００１】
本発明は、熱延鋼板の製造装置に関する。
【背景技術】
【０００２】
自動車用や構造材用等として用いられる鋼材は、強度、加工性、靭性といった機械的特性に優れることが求められ、これらの機械的特性を総合的に高めるには、鋼材の組織を微細化することが有効である。そのため、微細な組織を有する鋼材を得るための方法が数多く模索されている。また、組織の微細化によれば、合金元素の添加量を削減しても優れた機械的性質を具備した高強度の熱延鋼板を製造することが可能となる。【０００３】
組織を微細化する方法としては、熱間仕上げ圧延の特に後段において高圧下圧延を行い、オーステナイト粒に大きな変形を与えるとともに鋼板に圧延歪を蓄積させ、圧延後に得られるフェライト粒の微細化を図ることが知られている。さらに、オーステナイトの再結晶や回復を抑制してフェライト変態を促進させるという観点から、圧延後のできるだけ短時間内に鋼板を６００℃〜７００℃にまで冷却することが有効である。すなわち、熱間仕上げ圧延に引き続き、従来よりも早く冷却することが可能な冷却装置を設置し、圧延後の鋼板を急冷するとよい。そして、このように圧延後の鋼板を急冷するに際し、冷却能力を高めるために、鋼板に噴射される単位面積当りの冷却水量、すなわち、水量密度を大きくすることが効果的である。【０００４】
しかしながら、このように冷却水量、水量密度を大きくすると、給水と排水との関係で、鋼板上面に溜まる水（滞留水）が増加する。このような滞留水は鋼板の冷却に供された後の水であり、できるだけこれを早く排出し、ノズルからの供給水を鋼板に提供して冷却能力を確保することが重要である。また、滞留水は水の層であるから、これが厚いとノズルからの噴流の抵抗となって、冷却水が効果的に鋼板に届かないこともある。さらに滞留水は、鋼板の板幅方向中央部から両端部に向けて流れ、その流速は鋼板の端部に近づくほど増加する。従って、滞留水の量が増加すると、鋼板の板幅方向における冷却ムラが大きくなることがある。また、滞留水の量が増加しすぎると、上面ガイドより上にまで滞留水が達してノズル先端が水没することもある。【０００５】
上記したように、熱間仕上げ圧延の後にできるだけ早く、かつ、急激な冷却をすることが効果的であることから、熱間仕上げ圧延機の最終スタンドのワークロール直後から冷却することが好ましい。すなわち、熱間仕上げ圧延機列の最終スタンドのハウジングの内側に存する鋼板に冷却水を噴射して冷却をする。このような冷却に関する技術が特許文献１に記載されている。【０００６】
また、特許文献２、３には噴射された冷却水を吸引除去する技術が開示されている。特許文献２、３に記載の技術によれば、鋼板の上面側に板幅方向にスリットノズルを設け、このスリットノズルから鋼板上面に堆積した冷却水を吸引する。これにより、板幅方向への冷却水の流動を抑えることができ、温度ムラを抑制することが可能となる。
【先行技術文献】
【特許文献】
【０００７】
【特許文献１】特許第４０２９８７１号公報
【特許文献２】特許第１９７４４５７号公報
【特許文献３】特開昭６３−４０６１１号公報
【発明の概要】
【発明が解決しようとする課題】
【０００８】
鋼板上面側に噴射された冷却水のうち、その多くは鋼板の板幅方向に移動し、下方に落下して排出されている。しかしながら、熱間仕上げ圧延機列の最終スタンドのハウジング内側では、鋼板の搬送パスラインの両側方に当該ハウジングの立設部が配置されている。従って、最終スタンドのハウジング内側に冷却水を噴射した場合、ハウジングの立設部が壁となり、冷却水の排水が阻害されることや、立設部に衝突し、上方に移動した一部の冷却水が上面ガイドに滞留し、ノズルの先端を水没させてしまうことがあった。特許文献１に記載された発明は上面ガイドの排水性能を向上させることが記載されているが、冷却性能を向上させるためにさらに大量の冷却水を使用した場合には、側部からの排水性を向上させることも重要である。【０００９】
また、特許文献２、３に記載の技術は、比較的冷却水量が少なく、冷却水を供給するノズル数が少ない場合には吸引のためのノズルを配置することができる。しかしながら、冷却能力を高めるために冷却水の供給ノズルを密に配置し、さらに大きな流量で冷却水を供給するような場合には従来の技術は適用することができなかった。そしてそのための新しい排水性向上のための技術が必要であった。【００１０】
そこで本発明は、上記問題点に鑑み、熱延鋼板製造ラインにおいて、排水性に優れた熱延鋼板の製造装置を提供することを課題とする。
【課題を解決するための手段】
【００１１】
発明者らは鋭意検討の結果、以下のような知見に基づき発明を完成させた。すなわち、熱間仕上げ圧延機の最終スタンドのハウジングの立設部とパスラインとの間の狭い幅において、該幅で排水性を向上させるためには、ポンプを用いた水の吸引が有効であると考えた。そこで、熱間仕上げ圧延機の直後に噴射される大流量の冷却水に基づく排水を、ポンプ等を用いて強制的におこなうための具体的な検討をおこなった。【００１２】
鋼板の上面に噴射された冷却水は通常、鋼板の板幅方向に移動し、その端部から重力により自然に落下し、装置の隙間を通って下部へ排水される。従ってこのような自然排水に、強制的な排水を加えれば排水を促進することができる。
すなわち、ここでは以下の問題を取り上げる。冷却される鋼板の板幅方向の両側に排水のための空間を十分に確保することができればよいが、他の装置との関係や、下面ガイドの存在、及び冷却水の高流量化等により自然排水のみでは排水能力が不足することがある。また、冷却水の高流量化にともない、冷却水を供給するノズルをパスライン方向にも密に配置するため、鋼板上に達した冷却水は、ノズルからの噴流によりパスライン方向へ移動して分散することができず、そのほとんどが鋼板の板幅方向に移動する。従って、ますます鋼板の板幅方向における排水の重要性が高まる。排水能力が不足すると鋼板の上面に滞留する冷却水が増え、水面が上昇してノズルにまで達してしまう。この場合には適切な冷却が困難となり、冷却能力が低下して冷却ムラが発生する。【００１３】
このような状況では、自然排水に加えて、冷却水の少なくとも一部を強制的に排水することがよいとの知見を得た。そしてその際には、鋼板になるべく近接した位置で吸引することが好ましいという知見も得た。しかしながら、例えば排水のための空間が鋼板と仕上げ圧延機のハウジング立設部との間にしか確保することができない場所では、鋼板と仕上げ圧延機のハウジング立設部との間隔は通常狭いことから、単純にここにポンプを設置することは困難である。そこで、強制排水手段をどのように構成するかに関し、および排水すべき水の取り回しに関して工夫をする必要があった。具体的には、導水路を形成して冷却水を集め、これをポンプ等の強制排水機器で排水することが有効であることがわかった。【００１４】
また、冷却水の供給流量密度（水量密度）によっては供給時や他の時に多量の空気を巻き込むことがあり、ポンプの吸引効率の大幅な低下やポンプの故障を招くことがあった。例えば所定の水量密度では、噴射される冷却水量と巻き込まれる空気流量との割合が水：空気で概ね１：２であることもあった。従って、そのときには、供給した冷却水に加えて、多量の空気をも搬送可能である強制排水手段を構成することが好ましいという知見を得た。以下、本発明について説明する。【００１５】
請求項１に記載の発明は、熱間仕上げ圧延機列と、該熱間仕上げ圧延機列の下工程側に配置され、パスラインを搬送される鋼板を冷却可能に設けられた冷却装置と、を備える熱延鋼板の製造装置であって、冷却装置は、パスラインの上方から該パスラインに冷却水を噴射可能な上面側のノズルと、パスラインの下方から該パスラインに冷却水を噴射可能な下面側のノズルと、パスライン及び上面側のノズルの間に配置される板状の部材である上面ガイドと、パスライン及び下面側のノズルの間に配置される板状の部材である下面ガイドと、上面側のノズルから噴射された冷却水の少なくとも一部を強制的に吸引して排出可能な強制排水手段と、を有し、強制排水手段は、冷却水が流入する側の開口、及び冷却水が流出する側の開口を備える導水路と、冷却水が流出する側の開口に設けられ、導水路内に流入した冷却水を強制的に排出する吸引装置と、を備える熱延鋼板の製造装置である。【００１６】
請求項２に記載の発明は、請求項１に記載の熱延鋼板の製造装置において、導水路のうち、冷却水が流入する側の開口がパスライン方向に複数設けられる、又は導水路内で流路がパスライン方向に分割される、分割導水路が形成されており、複数の分割導水路のうち、いずれの分割導水路に冷却水を流入させるかを選択可能とされていることを特徴とする。【００１７】
請求項３に記載の発明は、請求項１又は２に記載の熱延鋼板の製造装置において、熱間仕上げ圧延機列の最終スタンドのハウジングは立設する一対の立設部を有しており、冷却装置は、その一部が熱間仕上げ圧延機列の最終スタンドの立設部間に配置され、強制排水手段の冷却水が流入する側の開口の少なくとも一部も立設部間に配置されることを特徴とする。【００１８】
請求項４に記載の発明は、請求項３に記載の熱延鋼板の製造装置において、均一冷却幅をＷ［ｍ］、該均一冷却幅の端部と立設部との平均的な間隙距離をＷＳＷ［ｍ］、重力加速度をｇ［ｍ／ｓ２］とし、均一冷却幅における平均的な水量密度をＱｑ［ｍ３／（ｍ２・ｓ）］とし、ＷＳＷ、及び上面ガイドと鋼板の上面との平均的な距離であるｈ［ｍ］から決まる値をＣとし、
2012043210.tif 000003
としたとき、
2012043210.tif 000004
であることを特徴とする。【００１９】
請求項５に記載の発明は、請求項３又は４に記載の熱延鋼板の製造装置において、強制排水手段の導水路のうち、冷却水が流入する側の開口が、下面ガイドの板幅方向端部と、熱間仕上げ圧延機列の最終スタンドのハウジングの立設部と、の間に設けられ、開口は、下面ガイドの上面と同じ高さ、又は下面ガイドの上面より下の位置に配置されることを特徴とする。【００２０】
請求項６に記載の発明は、請求項３又は４に記載の熱延鋼板の製造装置において、強制排水手段の導水路のうち、冷却水が流入する側の開口は、その少なくとも一部が熱間仕上げ圧延機列の最終スタンドのハウジングの立設部間に配置されるとともに、上面ガイドの下面と同じ高さ、又は上面ガイドの下面より高い位置に配置されていることを特徴とする。【００２１】
請求項７に記載の発明は、請求項６に記載の熱延鋼板の製造装置において、導水路の冷却水が流入する開口は、上面ガイドの板幅方向端部と、熱間仕上げ圧延機のハウジングの立設部と、の間に設けられ、その開口は、上面ガイドの下面と同じ高さ、又は上面ガイドの下面より上の位置に配置されることを特徴とする。【００２２】
請求項８に記載の発明は、請求項１〜７のいずれか一項に記載の熱延鋼板の製造装置において、導水路は気液を分離する部位を備えていることを特徴とする。【００２３】
請求項９に記載の発明は、請求項１〜７のいずれか一項に記載の熱延鋼板の製造装置において、強制排水手段の吸引装置は、気液混相流を吸引可能であることを特徴とする。【００２４】
請求項１０に記載の発明は、請求項１〜９のいずれか一項に記載の熱延鋼板の製造装置において、強制排水手段の吸引装置は、空気のみでの待機運転が可能であることを特徴とする。【００２５】
請求項１１に記載の発明は、請求項１〜９のいずれか一項に記載の熱延鋼板の製造装置において、強制排水手段の吸引装置は、水を循環させるバイパスを具備し、当該水の循環による待機運転が可能であることを特徴とする。【００２６】
請求項１２に記載の発明は、熱間仕上げ圧延機列と、該熱間仕上げ圧延機列の下工程側に配置され、パスラインを搬送される鋼板を冷却可能に設けられた冷却装置と、を備える熱延鋼板の製造装置であって、冷却装置は、パスラインの上方から該パスラインに冷却水を噴射可能な上面側のノズルと、パスラインの下方から該パスラインに冷却水を噴射可能な下面側のノズルと、パスライン及び上面側のノズルの間に配置される板状の部材である上面ガイドと、パスライン及び下面側のノズルの間に配置される板状の部材である下面ガイドと、上面側のノズルから噴射された冷却水の少なくとも一部を強制的に吸引して排出可能な強制排水手段と、を有し、強制排水手段は上面ガイドの上面に具備された水中ポンプであることを特徴とする熱延鋼板の製造装置である。
【発明の効果】
【００２７】
本発明により、熱延鋼板の製造ラインにおいて、排水性に優れた熱延鋼板の製造装置を提供することができる。また、これによって冷却水の量を増加させることが可能となり、圧延後の急冷をさらに促進させることができるので機械的性能に優れた鋼板を製造することが可能となる。
【図面の簡単な説明】
【００２８】
【図１】第一実施形態にかかる熱延鋼板の製造装置の一部を模式的に示した図である。
【図２】図１のうち、冷却装置が配置される部分に注目して拡大した図である。
【図３】図２のうち、冷却装置の上工程側を拡大して示した図である。
【図４】図２のＩＶ−ＩＶ矢視断面図である。
【図５】ノズルを説明するための斜視図である。
【図６】ノズルを説明するための他の図である。
【図７】ＷＳＷを説明するための図である。
【図８】第一実施形態の変形例にかかる熱延鋼板の製造装置を説明する図である。
【図９】第二実施形態にかかる熱延鋼板の製造装置を説明する図である。
【図１０】第三実施形態にかかる熱延鋼板の製造装置を説明する図である。
【図１１】第四実施形態にかかる熱延鋼板の製造装置を説明する図である。
【図１２】第三、第四実施形態の他の例を説明する図である。
【図１３】第五実施形態にかかる熱延鋼板の製造装置を説明する図である。
【図１４】第六実施形態にかかる熱延鋼板の製造装置を説明する図である。
【発明を実施するための形態】
【００２９】
本発明の上記した作用および利得は、次に説明する発明を実施するための形態から明らかにされる。以下本発明を図面に示す実施形態に基づき説明する。ただし本発明はこれら実施形態に限定されるものではない。
【００３０】
図１は、第一実施形態にかかる熱延鋼板の製造装置１０の一部を概略的に示した図である。図１では、鋼板１は紙面左（上工程側、上流側）から右（下工程側、下流側）の方向へと搬送されており、紙面上下方向が鉛直方向である。上工程側・下工程側の方向を通板方向と記載することがあり、これに直交する方向で、通板される鋼板の板幅の方向を板幅方向と記載することがある。また、図において見易さのため繰り返しとなる符号の記載は省略することがある。
【００３１】
図１に示すように、熱延鋼板の製造装置１０は、熱間仕上げ圧延機列１１、冷却装置２０、搬送ロール１２、１２、…、ピンチロール１３を備えている。また図示及び説明は省略するが、熱間仕上げ圧延機列１１より上工程側には、加熱炉や粗圧延機列等が配置され、熱間仕上げ圧延機列１１に入るための鋼板の条件を整えている。一方、ピンチロール１３の下工程側には他の冷却装置や巻き取り機等が設けられ、鋼板コイルとして出荷するための各種設備が配置されている。
【００３２】
熱延鋼板は概ね次のように製造される。すなわち、加熱炉から抽出され、粗圧延機で所定の厚さに圧延された粗バーが、温度を制御されながら連続的に熱間仕上げ圧延機列１１で所定の厚さにまで圧延される。その後、冷却装置２０内で急速に冷却される。ここに、冷却装置２０は、熱間仕上げ圧延機列１１の最終スタンド１１ｇにおいて、圧延ロールを支持するハウジング１１ｇｈの内側に、当該最終スタンド１１ｇの圧延ロール１１ｇｗ、１１ｇｗ（図２参照）に極力近接するようにして設置されている。そして、ピンチロール１３を通過して他の冷却装置により所定の巻き取り温度にまで冷却され、巻き取り機によりコイル状に巻き取られる。
【００３３】
以下、熱延鋼板の製造装置１０（以下単に「製造装置１０」と記載することがある。）について詳しく説明する。図２、図３は、図１のうち冷却装置２０が備えられた部位を拡大して示した図である。図２は冷却装置２０の全体が表れるように拡大した図である。図３は、さらに最終スタンド１１ｇの近傍に注目した図である。図４は、図２にＩＶ−ＩＶで示した矢視断面図である。従って図４では紙面上下が製造装置１０の鉛直方向、紙面左右が板幅方向、及び紙面奥／手前方向が通板方向となる。
【００３４】
本実施形態における熱間仕上げ圧延機列１１は、図１からわかるように７機の圧延機１１ａ、…、１１ｆ、１１ｇが通板方向に沿って並列されている。ぞれぞれの圧延機１１ａ、…、１１ｆ、１１ｇは、いわゆる各スタンドを構成する圧延機で、最終製品において必要とされる厚さ、機械的性質、表面品質等の条件を満たすことができるように圧下率等の圧延条件が設定されている。ここで、各スタンドの圧下率は製造される鋼板が有するべき性能を満たすように設定されるが、高圧下圧延を行ってオーステナイト粒に大きな変形を与えるとともに鋼板に圧延歪を蓄積させ、圧延後に得られるフェライト粒の微細化を図る観点から最終スタンド１１ｇにおいて圧下率が大きいことが好ましい。
各スタンドの圧延機１１ａ、…、１１ｆ、１１ｇは、実際に鋼板を挟んで圧下する一対のワークロール１１ａｗ、１１ａｗ、…、１１ｆｗ、１１ｆｗ、１１ｇｗ、１１ｇｗと、該ワークロールに外周同士を接するように配置された一対のバックアップロール１１ａｂ、１１ａｂ、…、１１ｆｂ、１１ｆｂ、１１ｇｂ、１１ｇｂとを有している。また当該ワークロール、及びバックアップロールの回転軸は、該ワークロール及びバックアップロールを内側に含むように設けられたハウジング１１ａｈ、…、１１ｆｈ、１１ｇｈの対向して立設された立設部（最終スタンドにおいては図４の立設部１１ｇｒ、１１ｇｒ）間に配置されている。すなわち、ハウジングの立設部は、図４からわかるように、鋼板１の通板のライン（パスライン）を挟むように立設されている。
【００３５】
ここで、図２にＬ１で示した距離は、ワークロール１１ｇｗの回転中心軸とハウジング立設部１１ｇｒ、１１ｇｒの下工程側端面との距離であり、ワークロール１１ｇｗの半径ｒ１よりも大きい。従って、Ｌ１−ｒ１に相当する部位には、後述するように冷却装置２０の一部を配置することができる。すなわち当該冷却装置２０の一部をハウジング１１ｇｈの内側に挿入するように設置することが可能である。
また、図４に示すように、冷却装置２０がハウジング１１ｇｈの内側に挿入された部位において、冷却装置２０の下面ガイド４０の板幅方向端部と、ハウジング立設部１１ｇｒ、１１ｇｒとの間にはＷＳＷ、ＷＳＷで示した間隙が形成される。
【００３６】
次に冷却装置２０について説明する。冷却装置２０は、上面給水手段２１、２１、…、下面給水手段２２、２２、…、上面ガイド３０、３０、…、下面ガイド４０、４０、…、及び強制排水手段５０を備えている。
【００３７】
上面給水手段２１、２１、…は、鋼板１（パスライン）の上側から冷却水を供給する手段であり、ヘッダ２１ａ、２１ａ、…、各ヘッダ２１ａ、２１ａ、…に複数列をなして設けられた導管２１ｂ、２１ｂ、…、及び該導管２１ｂ、２１ｂ、…の先端に取り付けられたノズル２１ｃ、２１ｃ、…を備えている。
本実施形態では、図２〜図４からわかるようにヘッダ２１ａは板幅方向に延在する配管であり、このようなヘッダ２１ａ、２１ａ、…が通板方向に複数配列されている。
導管２１ｂは各ヘッダ２１ａから分岐する複数の細い配管であり、その開口端部が鋼板１の上面側に向けられている。導管２１ｂ、２１ｂ、…は、ヘッダ２１ａの管長方向に沿って、すなわち板幅方向に複数、櫛歯状に設けられている。
【００３８】
各導管２１ｂ、２１ｂ、…の先端にはノズル２１ｃ、２１ｃ、…が取り付けられている。本実施形態のノズル２１ｃ、２１ｃ、…は、扇状の冷却水噴流（例えば、５ｍｍ〜３０ｍｍ程度の厚さ）を形成可能なフラットタイプのスプレーノズルである。図５、図６にノズル２１ｃ、２１ｃ、…により鋼板１の表面に形成される冷却水噴流について模式図を示した。図５は斜視図である。図６は当該噴流が鋼板１の表面に衝突したときの衝突態様を概略的に示した図である。図６に白丸で表したのはノズル２１ｃ、２１ｃ、…の直下の位置であり、太線で示したのは冷却水噴流の衝突位置、形状である。図５、図６には通板方向と板幅方向を併せて示している。
図５、図６からわかるように本実施形態では、隣り合うノズル列Ａ、Ｂ、Ｃでは、板幅方向の位置をずらすように配置し、さらにその隣のノズル列Ａ、Ｂ、Ｃと板幅方向の位置が同じとなるように、いわゆる千鳥状配列としている。
【００３９】
本実施形態では、鋼板１の表面における板幅方向の全ての位置にわたって冷却水噴流を少なくとも２回通過できるようにノズル２１ｃ、２１ｃ、…を配置した。すなわち、通板される鋼板１上のある点ＳＴは、図６の直線矢印に沿って移動する。その際にノズル列Ａで２回（Ａ１、Ａ２）、ノズル列Ｂで２回（Ｂ１、Ｂ２）、ノズル列Ｃで２回（Ｃ１、Ｃ２）、…というように、各ノズル列Ａ、Ｂ、Ｃにおいて当該ノズル列Ａ、Ｂ、Ｃに属するノズル２１ｃ、２１ｃ、…からの噴流が２回衝突する。そのために、ノズルの間隔ＰＷ、冷却水噴流の衝突幅Ｌ、ねじり角βの間に、
Ｌ≧２ＰＷ／ｃｏｓβ
の関係が成り立つように、ノズル２１ｃ、２１ｃ、…を配置した。図６では２回通過としたが、これに限定されることはなく、３回以上通過するように構成してもよい。なお、板幅方向における冷却能の均一化を図るという観点から、通板方向で隣り合うノズル列Ａ、Ｂ、Ｃでは、互いに逆の方向にノズル２１ｃ、２１ｃ、…を捻った。
【００４０】
また、ノズルの配列により鋼板の冷却に関する「均一冷却幅」が定まる。これは、配置されるノズルの性質上、搬送される鋼板の均一な冷却が可能である板幅方向の大きさを意味する。具体的には、鋼板の製造装置において製造できる最大の鋼板の板幅と一致することが多い。具体的には例えば図６にＷで示した大きさである。
【００４１】
上面給水手段２１が備えられる位置、特にノズル２１ｃ、２１ｃ、…が配置されるべき位置は特に限定されるものではない。本実施形態では、少なくとも熱間仕上げ圧延機列１１における最終スタンド１１ｇの直後に、該最終スタンド１１ｇのハウジング１１ｇｈの内側から当該最終スタンド１１ｇのワークロール１１ｇｗに極力近接するように配置させる。このように配置することで、熱間仕上げ圧延機列１１による圧延直後の鋼板１を急冷することが可能になるとともに、鋼板１の先端部を安定して冷却装置２０に誘導することができる。本実施形態では、図２からわかるように、ワークロール１１ｇｗに近い冷却ノズル２１ｃは鋼板１に近づけて配置する。
【００４２】
さらに、図２、図３からわかるように、各ノズル２１ｃ、２１ｃ、…の冷却水噴射口から噴射される冷却水の噴射方向は鉛直方向を基本とする一方、最終スタンド１１ｇのワークロール１１ｇｗに最も近いノズル２１ｃ、２１ｃ、…からの冷却水の噴射は、鉛直よりもワークロール１１ｇｗの方向に傾けられることが好ましい。これにより、鋼板１が最終スタンド１１ｇで圧下されてから冷却が開始されるまでの時間をより一層短くし、圧延で蓄積された圧延歪が回復する時間をほぼゼロにすることも可能となる。従って、より微細な組織を有する鋼板を製造することができる。
【００４３】
下面給水手段２２、２２、…は、鋼板１（パスライン）の下側から冷却水を供給する手段であり、ヘッダ２２ａ、２２ａ、…、各ヘッダ２２ａ、２２ａ、…に複数列をなして設けられた導管２２ｂ、２２ｂ、…、及び該導管の先端に取り付けられたノズル２２ｃ、２２ｃ、…を備えている。下面給水手段２２、２２、…は、上記した上面給水手段２１、２１、…に対向して設けられ、冷却水の噴射方向が異なるが、概ね該上面給水手段２１、２１、…と同様であるのでここでは説明を省略する。
【００４４】
次に上面ガイド３０について説明する。上面ガイド３０は、図２〜図４に良く表れているように、鋼板１（パスライン）と上面給水手段２１、２１、…との間に配置される板状の部材である。上面ガイド３０により、鋼板１が上面給水手段２１、２１、…に引っ掛かることを防止している。従って、上面ガイド３０には、上面給水手段２１、２１、…のノズル２１ｃ、２１ｃ、…から噴射される冷却水が貫通することのできる孔が設けられている。
【００４５】
上面ガイドは公知のものを用いることができ、その形状は特に限定されるものではない。
【００４６】
上面ガイド３０は、図２に示したように配置される。すなわち、本実施形態では３つの上面ガイド３０、３０、３０が用いられ、これが通板方向に配列される。いずれの上面ガイド３０、３０、３０もノズル２１ｃ、２１ｃ、…の高さ方向位置に対応するように配置されている。詳しくは、最終スタンド１１ｇに近い上面ガイド３０では最終スタンド１１ｇ側端部が低く、他端側が高くなるように傾斜して配置されている。他の２つの上面ガイド３０、３０は、通板面から所定の間隔を有して該パスラインと略平行に配置されている。
【００４７】
次に下面ガイド４０について説明する。下面ガイド４０は、下面給水手段２２と鋼板１（パスライン）との間に配置される板状の部材である。これにより、特に鋼板１を製造装置１０に通す際に、鋼板の最先端が下面給水手段２２、２２、…や搬送ロール１２、１２、…に引っ掛かることを防止できる。従って、下面ガイド４０には下面給水手段２２、２２、…からの噴流を通過させる流入孔が設けられている。これにより、下面給水手段２２からの噴流が該下面ガイド４０を通過して鋼板１の下面に達し、適切な冷却をすることが可能となる。
【００４８】
このような下面ガイド４０は、図２に示したように配置される。すなわち、本実施形態では４つの下面ガイド４０、４０、…が用いられ、搬送ロール１２、１２、１２間、ワークロール１１ｇｗと搬送ロール１２との間、又は搬送ロール１２とピンチロール１３との間に配置される。いずれの下面ガイド４０、４０、…も搬送ロール１２、１２、…の上端部に対してあまり低くならない高さに配置される。
【００４９】
ここで用いられる下面ガイド４０の形状は特に限定されるものではなく公知の下面ガイドを用いることが可能である。下面冷却では、鋼板冷却後の排水はほとんどがそのまま下方向に排水されることが望ましい。従って図示はしないが、下面ガイド４０には排水用の孔が設けられていることが望ましい。また、搬送ロールが密に配置され、下面ガイドが不要な場合にも上記した下面給水手段は適用可能である。
【００５０】
次に強制排水手段５０について説明する。強制排水手段５０は導水路５１、５１、及び吸引装置としてのポンプ５２、５２を備えている。
【００５１】
導水路５１、５１は、本実施形態では図２及び図４にその態様が良く表れているように、流路を形成する筒状体である。ここで「筒状体」は流路を形成することができれば良く、円管状、ダクト状等、その断面形状は特に限定されるものではない。
導水路５１、５１の一方の開口５１ａ、５１ａ（以下、「入口５１ａ、５１ａ」と記載することがある。）は、図４からわかるように、下面ガイド４０とハウジング立設部１１ｇｒ、１１ｇｒとの間の間隙のそれぞれに配置されている。
入口５１ａの板幅方向の範囲は、下面ガイド４０とハウジング立設部１１ｇｒとの間の距離（すなわちＷＳＷ）に近い大きさが好ましい。これにより効率良く排水すべき水を導水路５１内に導入することができる。一方、入口５１ａの通板方向の範囲は、図２からわかるように下面ガイド４０の上工程側先端から、ハウジング立設部１１ｇｒの下工程側端部までとすることが好ましい。これにより最も強制排水が必要であるハウジング立設部１１ｇｒ、１１ｇｒ間の排水を選択的に効率良く強制排水することができる。多くの場合、ハウジング立設部１１ｇｒより下工程側においては、板幅方向は大きく開放されており、自然落下による排水を阻害する障害物が配置されていないことに基づくものである。従って、板幅方向においてハウジング立設部１１ｇｒ、１１ｇｒと同様に排水の自然落下を阻害するものがある場合には、入口５１ａをさらに下工程側に延長するように広げるように構成してもよい。
【００５２】
また、入口５１ａの鉛直方向高さ位置は、下面ガイド４０の上面と同一、又はこれより低い位置であることが好ましい。入口５１ａが下面ガイド４０より高い位置にあると、鋼板１が何らかの理由で板幅方向に蛇行したときに、鋼板１が導水路５１に衝突して破損する虞があるからである。
【００５３】
一方、導水路５１、５１の他方側の開口５１ｂ、５１ｂ（以下、「出口５１ｂ、５１ｂ」と記載することがある。）は、図４からわかるように、ポンプ５２、５２へと通じる開口部である。従って、出口５１ｂ、５１ｂは、後述するポンプ５２、５２の設置位置に合わせて設けられる。
【００５４】
入口５１ａ、５１ａから出口５１ｂ、５１ｂへと通じる中途の導水路５１、５１の断面形状及び流れ方向形状は特に限定されることはないが、できるだけ流動抵抗が小さい形状であることが好ましい。流動抵抗が上昇する原因として例えば、急な曲がり、急激な流路断面積の変化、突起物の存在を挙げることができる。また、入口５１ａ、５１ａは出口５１ｂ、５１ｂより開口面積が大きいことが好ましいが、その際の導水路５１、５１の流路断面積の変化も可能な限り緩やかであることが好ましい。
【００５５】
ポンプ５２、５２は、導水路５１、５１の出口５１ｂ、５１ｂに連結され、導水路５１、５１によって導かれた排水を強制的にピットへ送水するためのポンプである。ポンプ５２、５２として用いられる具体的な態様は、上記したように最終スタンド１１ｇのハウジング１１ｇｈの内側に供給された冷却水を排水するに際し、その排水を促進することができれば特に限定されるものではない。ただし、実際に供給される冷却水の状態や、製造装置１０による熱延鋼板の製造の観点から、以下のような態様であることが好ましい。
【００５６】
ポンプは排水がない状況においても運転可能であるもの、すなわち待機運転ができるものが好ましい。熱延鋼板の製造では、冷却水の節約のため、圧延が行われる直前まで冷却水を止めておく、又は少量のみ循環させるといった運転をおこなう。そして圧延の直前から大量の冷却水の噴射を開始する。従って、待機運転可能なポンプを用いることにより、排水がない状態から急激な排水が必要な状態への変化に対応し、冷却水が供給される初期においても円滑に排水をおこなうことができる。
待機運転の方法には大きく分けて２種類あり、そのうちの一方は水がなく空気のみでも吸引可能なポンプを用いる方法、他方はポンプにバイパスを設けて常に水を循環させておく方法である。本実施形態ではいずれの方法によるポンプでも良いが、後述するように排水すべき水には多量の空気を含む場合もあるので、空気のみでも吸引可能なポンプであることが好ましい。空気のみでも吸引可能なポンプの場合、排水がない場合には周囲に充填している蒸気を吸い取ることができ、視界改善や作業環境の向上を図ることも可能である。
【００５７】
また、ポンプは多量の空気を含んだ気液混相流を吸引して効率良く排出できるものが好ましい。冷却水の供給水の流量密度（水量密度）によっては供給時や他の時に多量の空気を巻き込むことがあり、このような混相流も効率良く排出できることにより、供給する冷却水の水量密度を大きくすることができる。例えば所定の水量密度では、噴射される冷却水量と巻き込まれる空気流量との割合が水：空気で概ね１：２であることもあった。
【００５８】
上記した観点から、具体的なポンプの種類として軸流ポンプが好ましい。軸流ポンプは、気液混相流を吸引しても振動を少なくすることができる構造を有しているからである。その他、大きな水量を流すことができるポンプとして渦巻き型ポンプ、縦軸ポンプ、エアリフトポンプを挙げることができる。ただし、気液混相流を吸引した場合の振動について考慮する必要がある。
【００５９】
ポンプ５２、５２が配置される位置は、上記導水路５１、５１を含めて板幅方向一方側のポンプ５２および導水路５１と、他方側のポンプ５２および導水路５１と、で対称であることが好ましい。これにより流動抵抗やポンプ能力が対称となり、排水能力が対称となるので、板幅方向の一方と他方とで排水に不均衡が生じることを抑制することができる。すなわち、排水の不均衡に起因する冷却ムラを防止することが可能となる。本実施形態ではこのような均衡を得るとの観点から２基のポンプ５２、５２を用いる例を説明した。ただし、これに限定されることはなく、１基であったり、さらに多くの複数基を適用してもよい。
【００６０】
このような強制排水手段５０により、仕上げ圧延機の最終スタンド１１ｇのハウジング１１ｇｈ内に供給された冷却水の少なくとも一部を強制的に排水することができ、排水性を向上させて効果的な鋼板の冷却が可能となる。排水すべき水を導水路５１、５１を用いて集めてポンプ５２、５２により強制的に排水するので、効率良く排水することができる。
ここで、強制排水手段５０による強制排水は、必ずしも供給された冷却水の全てを排水の対象とする必要はなく、一部でもよい。一部の冷却水を強制排水するだけでも排水性の向上を図ることは可能だからである。
【００６１】
図２に戻って熱延鋼板の製造装置１０について説明を続ける。搬送ロール１２、１２、…は、鋼板１のテーブルであるとともに該鋼板１を通板方向に搬送するロールである。上記したように搬送ロール１２、１２、…間、ワークロール１１ｇｗと搬送ロール１２との間、又は搬送ロール１２とピンチロール１３との間に下面ガイド４０、４０、…が配置される。
【００６２】
ピンチロール１３は、水切りを兼ねており、冷却装置２０の下工程側に設けられている。これにより、冷却装置２０内で噴射された冷却水が鋼板１の下工程側へと流出することを防止することが可能になる。さらには、冷却装置２０における鋼板１の波打ちを抑制して、特に、鋼板１の先端が巻き取り機に噛み込む前の時点における鋼板１の通板性を向上させることができる。ここでピンチロール１３のロールのうち上側のロール１３ａは図２に示したように上下に移動可能とされている。
【００６３】
上記した熱延鋼板の製造装置１０により例えば次のように鋼板の製造をおこなう。すなわち、鋼板が巻き取り機により巻き取られ、次の鋼板の圧延が開始されるまでの非圧延時間では冷却装置２０における冷却水の噴射は停止される。そして、冷却装置２０の下工程側のピンチロール１３は、上記非圧延時間中に、冷却装置２０の上面ガイド３０よりも高い位置にまで上側のロール１３ａが移動され、その後、次の鋼板の圧延が開始される。
当該次の鋼板の先端がピンチロール１３に到達したときに冷却水の噴射による冷却を開始する。また、鋼板１の先端がピンチロール１３を通過した直後に上側のロール１３ａを下降させ、鋼板１のピンチを開始する。
【００６４】
ここで、ピンチロール１３は、鋼板の先端が通過する前に、ピンチできる状態に設定しておいてもよい。これによって、最終スタンド１１ｇを通過した先端部に早く張力を付与することが可能となる。また、ピンチロール１３の上下ロール間の隙間を通過する鋼板の厚さよりも広くし、ピンチをすることなく水切りの機能のみ持たせる方式もある。この場合、図示はしないがピンチロール１３よりも出側に他のピンチロールを設置してピンチを行うこととなる。
【００６５】
また、熱間仕上げ圧延機列１１での通板速度は通板開始部分を除いて一定としてもよい。これにより、鋼板全長に亘って機械的強度が高められた鋼板を製造することができる。
【００６６】
ここで、冷却装置２０から供給される冷却水の流量密度（水量密度）は、必要とされる冷却能を備えるものであれば特に限定されるものはない。ただし、上記したように、鋼板組織の微細化の観点から、圧延直後の急冷が効果的であり、そのために水量密度の大きい冷却水が供給されることが好ましい。従って、排水も当該冷却水の供給量、水量密度に対応する排水性能を確保することできればよい。鋼板組織の微細化の観点から、供給される冷却水の流量密度（水量密度）は、片面あたり１０〜２５［ｍ３／（ｍ２・分）］を挙げることができる。これより大きい水量密度でもよい。
【００６７】
鋼板１の上面側に供給された冷却水は、その多くは板幅方向両端に移動し、その両端より下方へ流れ落ちる。このとき強制排水手段５０が配置された部位では、排水が導水路５１、５１に入り、集められてポンプ５２、５２によりピットに送られる。一方、強制排水手段５０が配置されていない部位では、そのまま流れ落ち、ピットまで設けられた溝等を通ってピットへと流れ込む。このように、排水の少なくとも一部は強制排水手段５０により強制的にピットにまで送られるので、全体として排水性を向上させることができる。また、ポンプ５２、５２により吸引した排水を直接ピットに流すことができるので、自然落下する排水の水量を少なくすることができる。すなわち、自然落下した排水がピットにまで通る流路（溝）を小さくすることが可能となり、設備コストの観点から有利である。
鋼板１の下面側に供給された冷却水はそのまま落下してピットまで設けられた溝等を通ってピットへ流れる。
【００６８】
冷却装置２０がハウジング１１ｇｈの内側に挿入された際には、上記したように、冷却装置２０の下面ガイド４０の板幅方向端部と、ハウジング立設部１１ｇｒ、１１ｇｒとの間にはＷＳＷ、ＷＳＷで示した間隙が形成される（図４参照）。間隙ＷＳＷが狭い場合には、冷却水の排水が阻害される程度も大きい。従って、このような場合に冷却装置２０の強制排水手段５０の効果がより顕著に発揮される。ここで、具体的に間隙ＷＳＷの大きさについて考察する。
【００６９】
図７には、以下で用いる式において使用する記号の意味を説明するための模式図を示した。この図から、式（２）に示した水量密度の範囲において、間隙ＷＳＷを含む式（１）が成立する場合には、間隙ＷＳＷからの排水が阻害される程度が大きい。
【００７０】
【数１】
2012043210.tif 000005
【００７１】
【数２】
2012043210.tif 000006
【００７２】
Ｗは均一冷却幅［ｍ］であり、ＷＳＷ［ｍ］は、均一冷却幅Ｗの端部とハウジング立設部１１ｇｒとの平均的な間隙距離である。ここでは一例として該平均的な間隙距離は、下面ガイド４０の板幅方向端部とハウジング立設部１１ｇｒとの間との距離と同じとみなしてＷＳＷとした。
均一冷却幅Ｗは、上記したように、配置されるノズル群の性質上、搬送される鋼板の均一な冷却が可能である板幅方向の大きさを意味する。具体的には、鋼板の製造装置において製造できる最大の鋼板の幅と一致することが多い。具体的には例えば図６にＷで示した大きさである。ｇ［ｍ／ｓ２］は重力加速度、Ｑｑは後述する式（３）により求まる水量密度を意味する。また、Ｃは後述する式（４）、式（５）により求まる値で、冷却水が板幅方向へ流れ、ハウジング立設部との間から流出する際の排水断面積の収縮、拡大による圧力損失の係数を表わす。Ｑｑ、Ｃについては、後で式（３）〜式（５）に表わしつつ説明する。
【００７３】
上記式（１）は次のような考えにより導くことができる。上面側から供給された冷却水は鋼板に衝突後、板幅方向へ分かれて排水される。しかしながら、均一冷却幅Ｗの端部とハウジング立設部１１ｇｒとの間隙が狭くなると、排水が板幅方向に移動し、これがハウジング立設部１１ｇｒに衝突して下方向の流れに変化するときの流動抵抗が増大する。この流動抵抗の増大により、ハウジング立設部１１ｇｒに衝突した排水は鋼板側へ跳ね返り、上面ガイド３０、３０、…の噴流孔からノズル２１ｃ、２１ｃ、…の先端側へ逆流して上面ガイド３０、３０、…の上にも水が滞留し、ノズル２１ｃ、２１ｃ、…の先端が水に浸かってしまう。
具体的には、式（１）の左辺は冷却水が板幅方向端とハウジング立設部１１ｇｒ間で排水される場合の圧力損失を表している。ここで式（１）の左辺が１以上になると、流動抵抗は大きく、排水が上面ガイド３０、３０、…の噴流孔から逆流してノズル２１ｃ、２１ｃ、…の先端が水没するといった現象が発生しやすくなる。式（１）における１．７なる値は板幅方向への排水が板幅方向端とハウジング立設部１１ｇｒ、１１ｇｒ間での曲がり（排水の方向転換）で発生する圧力損失の係数であり、実験により得られた値である。すなわち、このような場合に、冷却装置２０の強制排水手段５０による強制排水の効果がより顕著に発揮される。
【００７４】
また、式（２）により水量密度Ｑｑの範囲を制限した理由は次の通りである。すなわち、水量密度Ｑｑが０．０８［ｍ３／（ｍ２・ｓ）］よりも大きい場合にハウジング立設部１１ｇｒに衝突した排水が鋼板側へ跳ね返るといった現象が発生することがあり、適切な排水のためには式（１）を満たす必要があった。一方、水量密度Ｑｑが０．０８［ｍ３／（ｍ２・ｓ）］以下では、ハウジング立設部１１ｇｒに衝突した排水が鋼板側へ跳ね返るといった現象が発生し難く、式（１）とは無関係となる。
【００７５】
上記式（１）、式（２）中のＱｑについて説明する。Ｑｑ［ｍ３／（ｍ２・ｓ）］は均一冷却幅Ｗにおける平均的な水量密度であり、次式（３）で表わされる。
【００７６】
【数３】
2012043210.tif 000007
【００７７】
式（３）で、Ｑ［ｍ３／ｓ］は流量であり、Ｗｈｐ［ｍ］は図７に示したように、ハウジング立設部１１ｇｒ内においてノズル２１ｃ、２１ｃ、…が配置される搬送方向（通板方向）冷却距離である。当該式（３）は冷却水の流量を均一冷却可能な面積で割ることで、均一冷却面での水量密度を求めているものである。
【００７８】
次に上記式（１）中のＣについて説明する。Ｃは次式（４）、及び式（５）から求められる。
【００７９】
【数４】
2012043210.tif 000008
【００８０】
【数５】
2012043210.tif 000009
【００８１】
ここで、ｈ［ｍ］は図７に示した上面ガイド３０と鋼板１との平均的な距離である。式（４）、式（５）からわかるように、Ｃは、冷却水が板幅方向へ流れ、ＷＳＷで表わされる間隙から流出する際の排水断面積が、それぞれ収縮（式（４））、又は拡大（同等も含む。式（５））した場合の圧力損失の係数であり、従来公知の実験式に基づいて実験により得たものである。
【００８２】
以上のように、特にＷＳＷの大きさを十分に確保することができない場合において、冷却装置２０の強制排水手段５０による排水の円滑の効果がより顕著に発揮される。ただし、式（１）、式（２）の条件を満たさない場合であっても、冷却装置２０による排水性の向上が図られる。ここでは、より効果の高い例としてＷＳＷの大きさを考察した。
【００８３】
図８は、強制排水手段５０の変形例にかかる強制排水手段５０’が適用された例を示す図であり、図４に相当する図である。強制排水手段５０’は、外気混入防止ガイド５４が備えられる点で強制排水手段５０と異なる。これ以外は両手段は共通するので、同じ符号を付すとともに、説明を省略する。
【００８４】
外気混入防止ガイド５４は、図８からわかるように、上面ガイド３０の板幅方向端部とハウジング立設部１１ｇｒとの間隙を塞ぐように配置された板状の部材で、図８に表れる断面を有して通板方向に延在する。これにより排水が導水路５１に入り込む際における外気の吸い込みを抑制することができ、効率的に冷却水のみを吸引することが可能となる。本例では図８のように、外気混入防止ガイド５４の一端が上面ガイド３０に接し、他端がハウジング立設部１１ｇｒに接するように配置されているが、これに限定されることなく、多少の間隙は許容することができる。ただし、外気の吸い込み抑制の観点から当該間隙はできるだけ小さいことが好ましい。また、上面ガイド３０は操業中や定期点検、修理等において可動に構成されていることが通常であることから、外気混入防止ガイド５４は上面ガイド３０に垂下するように取り付けられていることが好ましい。
【００８５】
本例の外気混入防止ガイド５４は、図８からよくわかるように、円弧状の断面を有している。より具体的には、外気混入防止ガイド５４は、円弧状断面である凸側面が上方に向けられている。すなわち、一対の対向する外気混入防止ガイド５４、５４においてその上端部の間隔が狭く形成され、少なくとも下端部は当該上端部よりも広い間隔となるように配置される。このように円弧状の断面とすることにより、排水の流動抵抗を抑制して該排水を導水路５１に導くことが可能となる。これによりさらに円滑な排水が促進される。ここでは断面が円弧状である例を説明したが、流動抵抗を抑制し得る他の形状を用いることも可能である。これには例えば円弧状でない曲線、傾斜した直線、又は直線の組み合わせ等を挙げることができる。
【００８６】
図９は第二実施形態にかかる製造装置を説明する図であり、冷却装置１２０を説明する図２に相当する図である。本実施形態では、冷却装置１２０の強制排水手段１５０のうち、導水路１５１が強制排水手段５０の導水路５１と異なる。他の部位については、上記した冷却装置２０、および製造装置１０と共通するので、同じ符号を付すとともに、説明を省略する。
【００８７】
導水路１５１は、図９からもわかるように、入口側において複数の分割導水路１５１ｐ、１５１ｑ、１５１ｒ、１５１ｓが通板方向に配列され、その下端で合流するように形成されている。分割導水路１５１ｐ、１５１ｑ、１５１ｒ、１５１ｓは、各々独立して流路の閉鎖および開放を切り替えることができるように構成されている。すなわち、流路の閉鎖時には閉鎖された分割導水路内を水が移動することが禁止される。一方、流路の開放時にはここに水が流通する。このような導水路１５１によれば、必要な分割導水路のみを選択的に使用し、上面給水手段２１、２１、…の使用状況に対応することができる。例えばワークロール１１ｇｗに近い位置に配置された上面給水手段２１、２１、…のみを使用し、他の上面給水手段２１、２１、…を使用しないときには、分割導水路１５１ｐのみを開放し、他の分割導水路１５１ｑ、１５１ｒ、１５１ｓは閉鎖することもできる。必要としない分割導水路を閉鎖することにより、排水が流入しない部分からの空気混入を防ぐことができ、ポンプ効率を向上し、排水性を向上させることができる。
【００８８】
図１０は第三実施形態にかかる製造装置を説明する図であり、冷却装置２２０を説明する図４に相当する図である。本実施形態では、冷却装置２２０には、強制排水手段５０の他、さらに第二の強制排水手段２５０が備えられている。他の部位については、上記した冷却装置２０、及び製造装置１０と共通するので、同じ符号を付すとともに、説明を省略する。
【００８９】
第二の強制排水手段２５０は第二の導水路２５１、２５１、及び第二のポンプ２５２、２５２を備えている。
【００９０】
導水路２５１、２５１は、図１０にその態様が良く表れており、流路を形成する筒状の部材である。
導水路２５１、２５１の一方の開口２５１ａ、２５１ａ（以下、「入口２５１ａ、２５１ａ」と記載することがある。）は、図１０からわかるように、上面ガイド３０とハウジング立設部１１ｇｒ、１１ｇｒとの間の間隙のそれぞれに配置されている。
入口２５１ａの板幅方向の範囲は、上面ガイド３０とハウジング立設部１１ｇｒとの間の距離（すなわちＷＳＷ）に近い大きさが好ましい。これにより排水すべき水を効率良く導水路２５１内に導入することができる。一方、入口２５１ａの通板方向の範囲は、図示は省略するが、上面ガイド３０の上工程側先端から、ハウジング立設部１１ｇｒの下工程側端部までとすることが好ましい。これにより、最も強制排水が必要であるハウジング立設部１１ｇｒ、１１ｇｒ内の排水を選択的に効率良く強制排水することができる。多くの場合、ハウジング立設部１１ｇｒより下工程側においては、板幅方向は大きく開放されており、自然落下による排水を阻害する障害物が配置されていないことが多いことに基づくものである。従って、板幅方向においてハウジング立設部と同様に排水の自然落下を阻害するものがある場合には、入口２５１ａをさらに下工程側に延長するように広げるように構成してもよい。
【００９１】
また、入口２５１ａの鉛直方向高さ位置は、上面ガイド３０の下面と同一、又はこれより高い位置であることが好ましい。入口２５１ａが上面ガイド３０より低い位置にあると、鋼板１が何らかの理由で板幅方向に蛇行し、鋼板が跳ね上がったときに、鋼板１が導水路２５１に衝突して破損する虞があるからである。
【００９２】
一方、導水路２５１、２５１の他方側の開口２５１ｂ、２５１ｂ（以下、「出口２５１ｂ、２５１ｂ」と記載することがある。）は、図１０からわかるように、ポンプ２５２、２５２へと通じる開口部である。従って、出口２５１ｂ、２５１ｂは、後述するポンプ２５２、２５２の設置位置に合わせて設けられる。
【００９３】
入口２５１ａ、２５１ａから出口２５１ｂ、２５１ｂへと通じる中途の導水路２５１、２５１の断面形状及び流れ方向形状は特に限定されることはないが、できるだけ流動抵抗が小さい形状であることが好ましい。流動抵抗が上昇する原因として例えば、急な曲がり、急激な流路断面積の変化、突起物の存在を挙げることができる。また、入口２５１ａ、２５１ａは出口２５１ｂ、２５１ｂより開口面積が大きいことが好ましいが、その際の導水路２５１、２５１の流路断面積の変化も可能な限り緩やかであることが好ましい。
【００９４】
ポンプ２５２、２５２は、導水路２５１、２５１の出口２５１ｂ、２５１ｂに連結され、導水路２５１、２５１によって導かれた排水を強制的にピットへ送水するためのポンプである。ポンプ２５２、２５２については、上記したポンプ５２、５２と共通するので、ここでは説明を省略する。
【００９５】
以上のような第二の強制排水手段２５０により、水量密度が大きいことによりハウジング立設部１１ｇｒ、１１ｇｒに衝突して上方に移動した水を導水路２５１、２５１に導入して強制的に排水することができる。従って、さらに排水性を向上させることが可能となる。
【００９６】
図１１は第四実施形態にかかる製造装置を説明する図であり、冷却装置３２０を説明する図４に相当する図である。本実施形態では、冷却装置３２０には、強制排水手段５０の他、さらに、上記した第二の強制排水手段２５０とは異なる第二の強制排水手段３５０が備えられている。他の部位については、上記した冷却装置２０、及び製造装置１０と共通するので、同じ符号を付すとともに、説明を省略する。
【００９７】
第二の強制排水手段３５０は第二の導水路３５１、３５１、及び第二のポンプ３５２、３５２を備えている。
【００９８】
導水路３５１、３５１は、図１１にその態様が良く表れており、流路を形成する筒状の部材である。
導水路３５１、３５１の一方の開口３５１ａ、３５１ａ（以下、「入口３５１ａ、３５１ａ」と記載することがある。）は、図１１からわかるように、上面ガイド３０の上面とヘッダ２１ａとの間のうち、板幅方向両端部に配置されている。当該入口３５１ａ、３５１ａは互いに開口が向かい合うように形成されている。
【００９９】
一方、導水路３５１、３５１の他方側の開口３５１ｂ、３５１ｂ（以下、「出口３５１ｂ、３５１ｂ」と記載することがある。）は、図１１からわかるように、ポンプ３５２、３５２へと通じる開口部である。従って、出口３５１ｂ、３５１ｂは、後述するポンプ３５２、３５２の設置位置に合わせて設けられる。
【０１００】
入口３５１ａ、３５１ａから出口３５１ｂ、３５１ｂへと通じる中途の導水路３５１、３５１の断面形状及び流れ方向形状は、特に限定されることはないが、できるだけ流動抵抗が小さい形状であることが好ましい。流動抵抗が上昇する原因として例えば、急な曲がり、急激な流路断面積の変化、突起物の存在を挙げることができる。従って導水路３５１、３５１の流路断面積の変化も可能な限り緩やかであることが好ましい。
【０１０１】
ポンプ３５２、３５２は、導水路３５１、３５１の出口３５１ｂ、３５１ｂに連結され、導水路３５１、３５１によって導かれた排水を強制的にピットへ送水するためのポンプである。ポンプ３５２、３５２については、上記したポンプ５２、５２と共通するので、ここでは説明を省略する。
【０１０２】
以上のような第二の強制排水手段３５０により、上面ガイド３０を超えて水位が上昇した滞留水を円滑に排水することができる。
【０１０３】
第四実施形態に含まれる第二の強制排水手段３５０は、上面ガイド３０を超えて水位が上昇した滞留水を円滑に排水する目的の強制排水手段である。かかる目的を達成するための第二の強制排水手段として、この他にも水中ポンプを上面ガイドの上面側に設置することを挙げることができる。
【０１０４】
ここで、第三実施形態、第四実施形態に備えられる強制排水手段２５０、３５０は、第二の強制排水手段として説明した。しかしながら強制排水手段２５０、３５０は第二としてでなく、強制排水手段２５０、３５０のみが備えられ、強制排水手段５０は備えられない冷却装置であってもよい。
【０１０５】
また、第三実施形態、第四実施形態では第二の強制排水手段２５０、３５０の導水路２５１、３５１の出口がハウジング１１ｇｈよりも上方に達しており、その後に第二のポンプ２５２、３５２で排水されるように記載されている。しかしながらこれに限定されることなく、例えば図１２のように構成されてもよい。すなわち、第二の強制排水手段３５０’において、第二の導水路３５１’はその出口側が下工程側に延在し、ハウジング立設部１１ｇｒより下工程側に達した後に、下方に設置された第二のポンプ３５２’に接続されている態様である。これによれば第二の強制排水手段をハウジング１１ｇｈよりも上に配置することがなく、より安定した設備配置をすることができる。
【０１０６】
図１３は第五実施形態にかかる製造装置を説明する図であり、冷却装置４２０を説明する図で、図２に相当する。本実施形態では、冷却装置４２０の強制排水手段４５０が上記した強制排水手段５０と異なる。他の部位については、上記した冷却装置２０、及び製造装置１０と共通するので、同じ符号を付すとともに、説明を省略する。
【０１０７】
強制排水手段４５０は、導水路４５１、排水ポンプ４５２ａ、及び排気ポンプ４５２ｂを備えている。
導水路４５１では、図１３からもわかるように、上記説明した導水路５１に気液分離部４５１ａが設けられている。気液分離部４５１ａは、気相と液相とを分離することができれば特にその態様は限定されることはない。これには例えばサイクロンのような回転体を用いる装置、又は大きな空間を形成して上下に気液を分離する装置等を挙げることができる。
【０１０８】
排水ポンプ４５２ａは、気液分離部４５１ａのうち分離された水（液体）部分に連結され、この水をピットに送水するポンプである。ポンプとしては送水することができるものであれば公知のものを用いることができる。
排気ポンプ４５２ｂは、気液分離部４５１ａのうち分離された気体部分に連結され、この気体を排気するポンプである。ポンプとしては排気することができるものであれば公知のものを用いることができる。
【０１０９】
これによれば、液体用、及び気体用のポンプをそれぞれ準備すればよく、比較的安価なポンプを用いて冷却装置を構成することができる。
【０１１０】
図１４は第六実施形態にかかる製造装置を説明する図であり、冷却装置５２０を説明する図で、図４に相当する。本実施形態では冷却装置５２０の強制排水手段５５０に、第二の導水路５５１が備えられている点で冷却装置２０と異なる。他の部位については、上記した冷却装置２０、及び製造装置１０と共通するので、同じ符号を付すとともに、説明を省略する。
【０１１１】
第二の導水路５５１は、その入り口５５１ａがハウジング立設部１１ｇｒ間に向けてに開口している。そして、第二の導水路５５１はハウジング立設部１１ｇｒを貫通するように該ハウジング立設部１１ｇｒの外側に導出され、その出口が導水路５１に連結している。これによれば、導水路を設けるための空間的な制約が緩和されて第二の導水路を設置することができるので、設置が比較的容易である。また第二の導水路５５１により排水の効率も向上させることができる。
【０１１２】
本実施形態では第二の導水路５５１は導水路５１に連結される形態の例であるが、これに限らず、第二の導水路が別に設置された他の排水ポンプに連結されていてもよい。
【実施例】
【０１１３】
以下、実施例に基づき本発明をさらに詳しく説明する。
実施例では、第一実施形態の冷却装置２０の態様の冷却装置を用いて平均の排出速度を求めた。具体的な条件は次の通りである。
・鋼板の幅：１．６ｍ
・ヘッダの通板方向ピッチ：０．１６ｍ
・鋼板と上面ガイドとの距離：０．３ｍ
・鋼板幅方向端部とハウジング立設部との距離：０．１５ｍ
・導水路入口の板幅方向大きさ：０．１０ｍ
・ポンプ：排水能力４００ｍ３／時の軸流ポンプを６台（板幅方向一方側に３台、他方側に３台）
・供給する冷却水の水量密度：２０ｍ３／（ｍ２・分）【０１１４】
以上のような条件で冷却水の供給及び排水をおこなった。その結果、空気が混入した冷却水の平均排出速度は概ね３ｍ／秒であり、導水路内では概ね８ｍ／秒となった。このときには、鋼板上面の滞留水は逆流することなく、上面ガイドに達することもなかった。
一方、上記と同じ条件で、強制排水手段を用いることなく冷却水の供給をおこなったところ、鋼板上面の滞留水は上面ガイドに達し、冷却及び排水が困難な状況になった。
【符号の説明】
【０１１５】
１  鋼板
１０  製造装置
１１  圧延機列
１１ｇ  最終スタンド
１１ｇｈ  ハウジング
１１ｇｒ  （ハウジング）立設部
１２  搬送ロール
１３  ピンチロール
２０  冷却装置
２１  上面給水手段
２１ａ  冷却ヘッダ
２１ｂ  導管
２１ｃ  冷却ノズル
２２  下面給水手段
２２ａ  冷却ヘッダ
２２ｂ  導管
２２ｃ  冷却ノズル
３０  上面ガイド
４０  下面ガイド
５０  強制排水手段
５１  導水路
５２  ポンプ（吸引装置）
１５０  強制排水手段
１５１  導水路
２５０  第二の強制排水手段
２５１  導水路（第二の導水路）
２５２  ポンプ（第二の吸引装置）
３５０  第二の強制排水手段
３５１  導水路（第二の導水路）
３５２  ポンプ（第二の吸引装置）
５５１  第二の導水路
【図１】
2012043210.tif 000012
【図２】
2012043210.tif 000013
【図３】
2012043210.tif 000014
【図４】
2012043210.tif 000015
【図５】
2012043210.tif 000016
【図６】
2012043210.tif 000017
【図７】
2012043210.tif 000018
【図８】
2012043210.tif 000019
【図９】
2012043210.tif 000020
【図１０】
2012043210.tif 000021
【図１１】
2012043210.tif 000022
【図１２】
2012043210.tif 000023
【図１３】
2012043210.tif 000024
【図１４】
2012043210.tif 000025
【国際調査報告】
2012043210.tif 000026
2012043210.tif 000027